(57)【要約】【課題】地震等によって柱が傾いても、外壁材は割れたり落下したりせず、また、シーリング切れも発生しない外壁材の取付構造を提供する。【解決手段】基礎１上に土台２が設けられる。土台２に複数の柱３が立設される。これらの柱３の上部に梁４が架設される。柱３から独立して複数の外壁下地材５が土台２に立設される。これらの外壁下地材５の上部に上横桟６が架設される。複数の外壁材９が隣接して外壁下地材５に取り付けられる。【選択図】図１
2006037634.tif 000002
【特許請求の範囲】
【請求項１】
基礎上に土台が設けられ、土台に複数の柱が立設され、これらの柱の上部に梁が架設されると共に、柱から独立して複数の外壁下地材が土台に立設され、これらの外壁下地材の上部に上横桟が架設されると共に、複数の外壁材が隣接して外壁下地材に取り付けられて成ることを特徴とする外壁材の取付構造。
【請求項２】
上横桟の長手方向に対して梁を摺動可能にするための係止具を梁に設けて成ることを特徴とする請求項１に記載の外壁材の取付構造。
【請求項３】
上横桟の表面に保護具を設けて成ることを特徴とする請求項１又は２に記載の外壁材の取付構造。
【請求項４】
基礎上に土台を設け、土台に複数の柱を立設し、これらの柱の上部に梁を架設すると共に、柱から独立させて複数の外壁下地材を土台に立設し、これらの外壁下地材の上部に上横桟を架設すると共に、複数の外壁材を隣接させて外壁下地材に取り付けることを特徴とする外壁材の取付方法。
【発明の詳細な説明】
【技術分野】
【０００１】
本発明は、住宅等の建築物における外壁材の取付構造及び外壁材の取付方法に関するものである。
【背景技術】
【０００２】
従来、住宅等の建築物において、外壁材９（サイディング）は図６に示すようにして取り付けられていた。まず、図６（ａ）に示すように、基礎１上に土台２を設け、この土台２に複数の柱３を立設させた後、これらの柱３の上部に梁４を架設する。次に、複数の外壁下地材５（縦胴縁）を柱３に固定したり、外壁下地材５の上端及び下端をそれぞれ梁４及び土台２に固定したりする。その後、図６（ｂ）に示すように、複数の外壁材９を上下左右に隣接させると共に、各外壁材９を外壁下地材５に固定具で取り付けるようにしていた。図６（ｂ）中、１４は左右に隣接する外壁材９によって形成される目地である。そして、特に耐震性と免震性を向上させるようにした技術も種々提供されている（例えば、特許文献１参照。）。
【特許文献１】特開２００４−１７６４０９号公報
【発明の開示】
【発明が解決しようとする課題】
【０００３】
しかしながら、上記のような外壁材の取付構造にあっては、図７に示すように、地震等によって柱３が土台２に沿って傾くと、柱３に固定された外壁下地材５や、梁４と土台２の両方に固定された外壁下地材５も、柱３と同様に傾いてしまう。そうすると、外壁下地材５に取り付けた外壁材９に歪みがかかることによって、外壁材９に亀裂が入って割れたり、外壁材９が落下したりする。また、図７（ｂ）に示すように、上下の目地１４が左右にずれることによって、いわゆるシーリング切れも発生する。
【０００４】
本発明は上記の点に鑑みてなされたものであり、地震等によって柱が傾いても、外壁材は割れたり落下したりせず、また、シーリング切れも発生しない外壁材の取付構造及び外壁材の取付方法を提供することを目的とするものである。
【課題を解決するための手段】
【０００５】
本発明の請求項１に係る外壁材の取付構造は、基礎１上に土台２が設けられ、土台２に複数の柱３が立設され、これらの柱３の上部に梁４が架設されると共に、柱３から独立して複数の外壁下地材５が土台２に立設され、これらの外壁下地材５の上部に上横桟６が架設されると共に、複数の外壁材９が隣接して外壁下地材５に取り付けられて成ることを特徴とするものである。
【０００６】
請求項２の発明は、請求項１において、上横桟６の長手方向に対して梁４を摺動可能にするための係止具１０を梁４に設けて成ることを特徴とするものである。
【０００７】
請求項３の発明は、請求項１又は２において、上横桟６の表面に保護具１１を設けて成ることを特徴とするものである。
【０００８】
本発明の請求項４に係る外壁材の取付方法は、基礎１上に土台２を設け、土台２に複数の柱３を立設し、これらの柱３の上部に梁４を架設すると共に、柱３から独立させて複数の外壁下地材５を土台２に立設し、これらの外壁下地材５の上部に上横桟６を架設すると共に、複数の外壁材９を隣接させて外壁下地材５に取り付けることを特徴とするものである。
【発明の効果】
【０００９】
本発明の請求項１に係る外壁材の取付構造によれば、地震等によって柱が土台に沿って傾いても、外壁下地材は傾かず、外壁下地材に取り付けた外壁材に歪みがかからないことによって、外壁材に亀裂が入って割れたり、外壁材が落下したりするのを防止することができ、また、シーリング切れの発生も防止することができるものである。
【００１０】
請求項２の発明によれば、係止具により、梁から上横桟が離間しないようにすることができるものである。つまり、上横桟が架設された外壁下地材が屋外側に倒れないようにすることができるものである。
【００１１】
請求項３の発明によれば、係止具が上横桟にめり込むなどして上横桟に傷が付くのを保護具で防止することができると共に、上横桟に対して梁をスムーズに摺動させることができるものである。
【００１２】
本発明の請求項４に係る外壁材の取付方法によれば、地震等によって柱が土台に沿って傾いても、外壁下地材は傾かず、外壁下地材に取り付けた外壁材に歪みがかからないことによって、外壁材に亀裂が入って割れたり、外壁材が落下したりするのを防止することができ、また、シーリング切れの発生も防止することができるものである。
【発明を実施するための最良の形態】
【００１３】
以下、本発明の実施の形態を説明する。
【００１４】
図１は本発明に係る外壁材の取付構造の一例を示すものである。この例では、まず、コンクリート等で形成される基礎１上にアンカーボルト等を用いて土台２を設ける。次に、箱金物等を用いて、土台２に複数の柱３を離間して立設すると共に、これらの柱３の上部に梁４を架設する。ここで、柱３には間柱も含まれる。また、柱３から独立させて複数の外壁下地材５（縦胴縁）を土台２に立設する。このとき、図１に示す例では、複数の外壁下地材５の下部に下横桟７を架設し、この下横桟７を土台２の屋外側にボルト１２等で固定することによって、各外壁下地材５を柱３から独立させて土台２に立設している。また、これらの外壁下地材５の上部には上横桟６を架設する。ここで、外壁下地材５が柱３から独立しているとは、外壁下地材５及び上横桟６が柱３及び梁４のいずれにも固定されていないことを意味する。よって、柱３及び梁４にかかる外壁下地材５及び上横桟６による余計な荷重を軽減することができ、耐震性を向上させることができるものである。なお、図１（ａ）に示すように、各柱３の屋外側に透湿防水シート１３を張設し、この透湿防水シート１３を介して土台２に柱３及び外壁下地材５を立設してもよい。
【００１５】
その後、複数の外壁材９を上下左右に隣接させて外壁下地材５に固定具で取り付けることによって、図１（ｃ）に示すような外壁材の取付構造を形成することができる。なお、固定具としては、図示省略しているが、従来の留め金具及び留め金具用ビスからなるもの等を用いることができる。また、左右に隣接する外壁材９によって形成される目地１４は、湿式シール材や乾式シール材を用いて目張りをする。そして、上記のようにして形成される外壁材の取付構造にあっては、図２に示すように、地震等によって柱３が土台２に沿って傾いても、外壁下地材５は柱３から独立しているので傾かないものである。そのため、外壁下地材５に取り付けた外壁材９には歪みがかからず、これにより、外壁材９に亀裂が入って割れたり外壁材９が落下したりするのを防止することができるものである。また、上下の目地１４が左右にずれることもないので、シーリング切れの発生も防止することができるものである。
【００１６】
ところで、本発明によれば、図２に示すように地震等によって柱３が土台２に沿って傾く場合には、これと同様の方向に外壁下地材５が傾くようなことはないが、屋外側の方向に外壁下地材５が倒れるおそれがある。そこで、このような事態を回避するため、図１及び図２に示す例では、上横桟６の長手方向に対して梁４を摺動（スライド）可能にするための係止具１０を梁４に設けるようにしている。このような係止具１０としては、例えば、図４に示すように、金属製の平板を折り曲げ加工することによって作製されたものを用いることができる。この係止具１０は、矩形状に形成される固定部１６の一辺から断面略Ｌ字状の係止部１７を延設することによって形成されている。そして、図１（ｂ）の破線で囲まれた部分を拡大して示す図３のように、係止具１０の係止部１７を上横桟６の上角部に引っ掛け、梁４の屋外側の面に係止具１０の固定部１６の裏面を当接させると共に、固定部１６に穿設した通孔１８に屋外側からボルト１９等を挿入して締着することによって、係止具１０を梁４に設けることができる。このような係止具１０によれば、上横桟６の長手方向に対して梁４を摺動可能にすることができるものであり、また、上横桟６の上角部に引っ掛けた係止具１０の係止部１７によって、梁４から上横桟６が離間しないようにすることができるものである。そのため、上横桟６が架設された外壁下地材５が屋外側に倒れないようにすることができるものである。なお、上記のような係止具１０は、図１及び図２に示すように、梁４に複数設けることができる。
【００１７】
また、上記のように係止具１０を梁４に設ける場合には、通常、係止具１０は金属製であり、梁４は木製であるため、上横桟６を梁４が摺動する際に、係止具１０の係止部１７の外縁が上横桟６の上面及び屋外側の面にめり込んでスムーズな摺動が阻害され、その結果、柱３と同様の方向に外壁下地材５も傾いてしまうおそれがある。そこで、このような事態を回避するため、図１及び図２に示す例では、上横桟６の表面に保護具１１を設けるようにしている。このような保護具１１としては、例えば、図５に示すように、金属製の平板を折り曲げ加工することによって作製されたものを用いることができる。この保護具１１は、矩形状に形成される上面保護部２０の側縁から側面保護部２１を略垂設することによって、断面略Ｌ字状に形成されている。そして、図１（ｂ）の破線で囲まれた部分を拡大して示す図３のように、保護具１１の上面保護部２０及び側面保護部２１の裏面がそれぞれ上横桟６の上面及び屋外側の面に当接するようにして、保護具１１を上横桟６の上角部に引っ掛け、側面保護部２１に穿設した通孔２２に屋外側からボルト２３等を挿入して締着することによって、保護具１１を上横桟６の表面に設けることができる。このような保護具１１によれば、係止具１０が直接上横桟６に接触しないようにすることができ、係止具１０が上横桟６にめり込むなどして上横桟６に傷が付くのを保護具１１で防止することができると共に、上横桟６に対して梁４をスムーズに摺動させることができるものである。ここで、保護具１１を上横桟６に固定する際に、ボルト２３の頭が側面保護部２１の表面から若干出るようにしておけば、係止具１０と保護具１１との摩擦力を小さくすることができ、上横桟６に対して梁４をさらにスムーズに摺動させることができるものである。
【図面の簡単な説明】
【００１８】
【図１】本発明に係る外壁材の取付構造の一例を示すものであり、（ａ）は断面側面図、（ｂ）は外壁材を取り付ける前の正面図、（ｃ）は外壁材を取り付けた後の正面図である。
【図２】同上の地震時における状態を示すものであり、（ａ）は断面側面図、（ｂ）は外壁材を取り付ける前の正面図、（ｃ）は外壁材を取り付けた後の正面図である。
【図３】同上の一部を拡大したものであり、（ａ）は正面図、（ｂ）は断面側面図である。
【図４】係止具の一例を示すものであり、（ａ）は正面図、（ｂ）は断面側面図、（ｃ）は平面図である。
【図５】保護具の一例を示すものであり、（ａ）は正面図、（ｂ）は断面側面図、（ｃ）は平面図である。
【図６】従来の外壁材の取付構造の一例を示すものであり、（ａ）は外壁材を取り付ける前の正面図、（ｂ）は外壁材を取り付けた後の正面図である。
【図７】同上の地震時における状態を示すものであり、（ａ）は外壁材を取り付ける前の正面図、（ｂ）は外壁材を取り付けた後の正面図である。
【符号の説明】
【００１９】
１  基礎
２  土台
３  柱
４  梁
５  外壁下地材（縦胴縁）
６  上横桟
９  外壁材
１０  係止具
１１  保護具
【図１】
2006037634.tif 000003
【図２】
2006037634.tif 000004
【図３】
2006037634.tif 000005
【図４】
2006037634.tif 000006
【図５】
2006037634.tif 000007
【図６】
2006037634.tif 000008
【図７】
2006037634.tif 000009